(57)【要約】【課題】  操作を簡略化させることができると共に、給油する人に対し給油燃料の種類表示を容易かつ確実に視認させることができる自動車用給油種類表示装置の提供。【解決手段】  給油口３１を開閉するキャップ３２の上部で車体の内壁に取り付け固定される固定部２と、固定部２に対しキャップ３２の少なくとも一部に被さる状態で設けられる本体部１とを備え、本体部１の表面には給油燃料の種類を示す表示部１２が設けられ、固定部２に対し本体部１が上下方向へ回動可能に設けられることによりキャップ３２の開閉および給油を阻止する初期位置とキャップ３２の開閉および給油を可能にする給油位置とに切り替え操作可能に構成され、本体部１はキャップ３２の開閉および給油を阻止する初期位置に付勢されるように構成される。【選択図】        図２
2005329903.tif 000002
【特許請求の範囲】
【請求項１】
給油口を開閉するキャップの上部で車体に取り付け固定される固定部と、該固定部に対し前記キャップの少なくとも一部に被さる状態で設けられる本体部とを備え、
該本体部の表面には給油燃料の種類を示す表示部が設けられ、
前記固定部に対し前記本体部が上下方向へ回動可能に設けられることによりキャップの開閉および給油を阻止する初期位置とキャップの開閉および給油を可能にする給油位置とに切り替え操作可能に構成され、
前記本体部は前記キャップの開閉および給油を阻止する初期位置に付勢されるように構成されていることを特徴とする自動車用給油種類表示装置。
【請求項２】
請求項１に記載の自動車用給油種類表示装置において、前記本体部における少なくとも前記固定部との連結部分が弾性を有する材質で構成されることにより、前記固定部に対し前記本体部が上下方向へ回動可能で、かつ、前記本体部が前記キャップの開閉および給油を阻止する初期位置に付勢されるように構成されていることを特徴とする自動車用給油種類表示装置。
【請求項３】
請求項２に記載の自動車用給油種類表示装置において、前記固定部および本体部が弾性を有する金属板により一体に形成され、
前記固定部と本体部との間に該本体部より幅の狭い回動支点部が形成されることにより、前記固定部に対し前記本体部が回動支点部を中心として上下方向へ回動可能で、かつ、前記本体部が前記キャップの開閉および給油を阻止する初期位置に付勢されるように構成されていることを特徴とする自動車用給油種類表示装置。
【請求項４】
請求項２に記載の自動車用給油種類表示装置において、前記表示部が板状のゴムで構成されることにより、前記固定部に対し前記本体部が上下方向へ回動可能で、かつ、前記本体部が前記キャップの開閉および給油を阻止する初期位置に付勢されるように構成されていることを特徴とする自動車用給油種類表示装置。
【発明の詳細な説明】
【技術分野】
【０００１】
本発明は、車両に給油する燃料の種類を間違えないようにするため給油口付近に設けられる自動車用給油種類表示装置に関する。
【背景技術】
【０００２】
従来、自動車用給油種類表示装置として、例えば、図６〜８に示すように、上部に給油口１０１の外周に装着可能な開口部１０２を備えた柔軟な素材よりなる本体１００の下部表面に給油燃料の種類を表示する表示部分１０３が設けられると共に、本体１００の下部裏面には引き出し用の取手部１０４が設けられていて、給油時以外は図７に示すように、本体１００を上方へ折り曲げて給油口ハウス１０５内に収納し、給油時には、取手部１０４を摘んで本体１００を給油口ハウス１０５外に引き出すことにより、図８に示すように、キャップ１０６の開放と給油が可能になるように構成されたものが知られている（例えば、特許文献１参照）。
【０００３】
【特許文献１】実開平６−１８０４７号公報  （明細書（２）頁、図９、１０）
【発明の開示】
【発明が解決しようとする課題】
【０００４】
しかしながら、上述の従来の技術にあっては、給油の度に給油口ハウス１０５内に折り曲げ状態で収納された本体１００を外に引き出す操作、および給油口ハウス１０５内へ本体１００を折り曲げながら収納する作業が必要になるため、操作が煩雑になるという問題があった。
【０００５】
また、給油口ハウス１０５から本体１００を引き出した状態においては、図８に示すように、給油ノズル１０６を挿入する給油口１０１と給油燃料の種類を表示する表示部分１０３とが上下方向に離れており、このため、給油する人の視線が給油口１０１に集中することで、給油燃料の種類表示を視認しにくくなるという問題がある。
【０００６】
本発明は、上述のような従来の問題点に着目して成されたもので、操作を簡略化させることができると共に、給油する人に対し給油燃料の種類表示を容易かつ確実に視認させることができる自動車用給油種類表示装置を提供することを目的としている。
【課題を解決するための手段】
【０００７】
上述の目的を達成するために、本願請求項１に記載の自動車用給油種類表示装置は、給油口を開閉するキャップの上部で車体に取り付け固定される固定部と、該固定部に対し前記キャップの少なくとも一部に被さる状態で設けられる本体部とを備え、該本体部の表面には給油燃料の種類を示す表示部が設けられ、前記固定部に対し前記本体部が上下方向へ回動可能に設けられることによりキャップの開閉および給油を阻止する初期位置とキャップの開閉および給油を可能にする給油位置とに切り替え操作可能に構成され、前記本体部は前記キャップの開閉および給油を阻止する初期位置に付勢されるように構成されていることを特徴とする手段とした。
【０００８】
また、請求項２に記載の自動車用給油種類表示装置は、請求項１に記載の自動車用給油種類表示装置において、前記本体部における少なくとも前記固定部との連結部分が弾性を有する材質で構成されることにより、前記固定部に対し前記本体部が上下方向へ回動可能で、かつ、前記本体部が前記キャップの開閉および給油を阻止する初期位置に付勢されるように構成されていることを特徴とする手段とした。
【０００９】
また、請求項３に記載の自動車用給油種類表示装置は、請求項２に記載の自動車用給油種類表示装置において、前記固定部および本体部が弾性を有する金属板により一体に形成され、前記固定部と本体部との間に該本体部より幅の狭い回動支点部が形成されることにより、前記固定部に対し前記本体部が回動支点部を中心として上下方向へ回動可能で、かつ、前記本体部が前記キャップの開閉および給油を阻止する初期位置に付勢されるように構成されていることを特徴とする手段とした。
【００１０】
また、請求項４に記載の自動車用給油種類表示装置は、請求項２に記載の自動車用給油種類表示装置において、前記表示部が板状のゴムで構成されることにより、前記固定部に対し前記本体部が上下方向へ回動可能で、かつ、前記本体部が前記キャップの開閉および給油を阻止する初期位置に付勢されるように構成されていることを特徴とする手段とした。
【発明の効果】
【００１１】
請求項１に記載の自動車用給油種類表示装置では、上述のように、給油前の初期位置では本体部がキャップの少なくとも一部に被さった状態となるため、給油のためにキャップを開ける時と、給油口に給油ノズルを差し込む時には必ず本体部を上方へ持ち上げる操作が必要になり、このため、少なくとも２度は本体部の表面の表示部に視線が向けられることになる。従って、給油する人に対し給油燃料の種類表示を容易かつ確実に視認させることができるようになる。
【００１２】
また、固定部に対し本体部が上下方向へ回動可能で、かつ、本体部がキャップの開閉および給油を阻止する初期位置に付勢されるように構成されているため、初期位置へ戻すための特別な操作が不要になり、これにより操作を簡略化させることができるようになる。
【００１３】
また、請求項２に記載の自動車用給油種類表示装置では、前記本体部における少なくとも前記固定部との連結部分が弾性を有する材質で構成されることにより、固定部に対し本体部が上下方向へ回動可能で、かつ、本体部がキャップの開閉および給油を阻止する初期位置に付勢されるため、スプリング等の別体の付勢手段を組み付ける必要がなく、簡単な構成にてコストを低減できるようになる。
【００１４】
また、請求項３に記載の自動車用給油種類表示装置では、前記固定部および本体部が弾性を有する金属板により一体に形成され、固定部と本体部との間に該本体部より幅の狭い回動支点部が形成されることにより、固定部に対し本体部が回動支点部を中心として上下方向へ回動可能で、かつ、本体部がキャップの開閉および給油を阻止する初期位置に付勢されるため、スプリング等の別体の付勢手段を組み付ける必要がなく、簡単な構成にてコストを低減できるようになる。
【００１５】
また、請求項４に記載の自動車用給油種類表示装置では、前記表示部が板状のゴムで構成されることにより、固定部に対し本体部が上下方向へ回動可能で、かつ、本体部がキャップの開閉および給油を阻止する初期位置に付勢されるため、スプリング等の別体の付勢手段を組み付ける必要がなく、簡単な構成にてコストを低減できるようになる。
【００１６】
また、本体部全体が弾性を有するゴムで構成されることにより、上方への回動操作を楽に行うことができるようになる。
また、初期位置においてキャップに当接する本体部がゴムで構成されるため、振動に基づく異音の発生を防止することができるようになる。
ている。
【発明を実施するための最良の形態】
【００１７】
以下に、本発明の実施例を図面に基づいて説明する。
【実施例１】
【００１８】
この実施例１の自動車用給油種類表示装置は、請求項１〜３に記載の発明に対応する。
図１はこの実施例１の自動車用給油種類表示装置の取り付け前の状態を示す斜視図、図２は実施例１の自動車用給油種類表示装置の取り付け状態および給油状態を示す縦断面であり、両図に示すように、この実施例１の自動車用給油種類表示装置Ａ１は、本体部１と固定部２とで構成されている。
なお、この実施例では、燃焼式ヒータを備えるマイクロバスであり、このため、エンジンの燃料であるガソリンを収容するタンクへの給油口の他に、燃焼式ヒータの燃料である軽油を収容するタンク３への給油口３１を備え、この軽油の給油口３１に本願発明を適用した場合について説明する。
【００１９】
さらに詳述すると、本体部１と固定部２は、弾性を有するステンレス板材をプレス成形することにより一体に形成されている。
前記固定部２は、横方向に長い長方形状に形成されていて、その両端部には車体に固定するためのボルト孔２１、２１が形成されている。
【００２０】
前記本体部１は、前記固定部２の下端縁中央部から手前に水平に延設された水平部１１を介し、該水平部１１の先端縁部から下方へ向けて延設されている。そして、この本体部１の表面（水平部１１の突出方向面）には、軽油等の給油燃料の種類を示す表示部１２が設けられている。
【００２１】
また、前記水平部１１の基部には幅の狭い回動支点部１１ａが形成されることにより、固定部２に対し本体部１が回動支点部１１ａを中心として上下方向へ回動可能になっている。
【００２２】
また、前記本体部１の一側（図１において左側）が前記給油口３１を開閉するキャップ３２から突出するように長く形成された取手部１２ａが延設されていて、この取手部１２ａに指をかけて本体部１を上方へ回動させることができるようになっている。
【００２３】
以上のように構成された自動車用給油種類表示装置Ａ１の取り付けは、前記キャップ３２の上方内壁に位置するフロアサイドレール４１に対し、ウエルドナット５１を備えた２個のブラケット５、５を予め溶接等で固定しておき、このブラケット５、５に対し固定部２の両端部をボルト６、６で締結することにより行われるもので、この取り付け状態（初期状態）においては、図２に示すように、本体部１がキャップ３２の上側約半分に非接触状態で被さるような位置関係となっている。
【００２４】
次に、実施例１の作用・効果について説明する。
この実施例１の自動車用給油種類表示装置Ａ１は、上述のように、給油前の初期位置では本体部１がキャップ３２の少なくとも一部に被さった状態となっているため、給油のためにリッド７を開けると、まず本体部１の表面に設けられた表示部１２に視線が向けられることで給油燃料の種類（軽油）を確認した後、取手部１２ａに指をかけて本体部１を上方へ回動させた状態でキャップ３２を外し、次に、確認された燃料の給油ノズル８を準備して、再び本体部１を上方へ回動させることにより、給油口３１に給油ノズル８を差し込んで給油を行うことができるようになる。
【００２５】
以上のように、この実施例１の自動車用給油種類表示装置Ａ１では、給油のためにキャップ３２を開ける時と、給油口３１に給油ノズル８を差し込む時には必ず本体部１を上方へ持ち上げる操作が必要になり、このため、少なくとも２度は本体部１の表面の表示部１２に視線が向けられることになり、従って、給油する人に対し給油燃料の種類表示（軽油）を容易かつ確実に視認させることができるようになる。
【００２６】
また、固定部２に対し本体部１が上下方向へ回動可能で、かつ、本体部１がキャップ３２の開閉および給油を阻止する初期位置に付勢されるように構成されているため、初期位置へ戻すための特別な操作が不要になり、これにより操作を簡略化させることができるようになる。
【００２７】
また、前記固定部２および本体部１が弾性を有するステンレス板により一体に形成され、本体部１における少なくとも固定部２との連結部分（回動支点部１１ａ）が幅狭に形成されることにより、固定部２に対し本体部１が上下方向へ回動可能で、かつ、本体部１がキャップ３２の開閉および給油を阻止する初期位置に付勢されるため、スプリング等の別体の付勢手段を組み付ける必要がなく、これにより、簡単な構成にてコストを低減できるようになる。
【００２８】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２９】
この実施例２の自動車用給油種類表示装置は、請求項１、２、４に記載の発明に対応する。
図３はこの実施例２の自動車用給油種類表示装置を示す側面図、図４はこの実施例２の自動車用給油種類表示装置の取り付け前の状態を示す斜視図、図５は実施例２の自動車用給油種類表示装置の取り付け状態および給油状態を示す縦断面であり、これらの図に示すように、この実施例２の自動車用給油種類表示装置Ａ２は、前記本体部１と固定部２が別体で、本体部１が弾性を有するゴム板で構成される一方、前記固定部２が断面略Ｌ型の鋼板で構成されている点が前記実施例１とは相違したものである。
【００３０】
即ち、この実施例２では、前記Ｌ型鋼板で構成される固定部２の垂下片２ａの両側にボルト孔２１、２１が形成されていて、このボルト孔２１、２１に挿通したボルト６をブラケット５のウエルドナット５１に螺合することにより固定部２の取り付けが行われるようになっている。
【００３１】
一方、前記ゴム板で構成される本体部１は、その上縁部を表示部１２とは反対側に折り曲げた取り付け部１３を前記固定部２の水平片２ｂに重ね、さらに上から断面略Ｌ型の押えプレート９を重ねた状態で、リベット１０で固定することにより、固定部２に対する本体部１の取り付けがなされている。
【００３２】
そして、この状態（初期状態）においては、図５に示すように、本体部１の裏面がキャップ３２に当接し、キャップ３２の全体を覆った状態になっており、この状態から本体部１をその弾性を利用して上方へ回動させることによって、キャップ３２の開閉および給油が可能になる。
【００３３】
従って、この実施例２においても、前記実施例１と略同様の効果が得られる。
また、この実施例２では、本体部１全体が弾性を有するゴム板で構成されることにより、上方への回動操作を楽に行うことができるようになる。
また、この実施例２では、初期位置においてキャップ３２に当接する本体部１がゴム板で構成されるため、振動に基づく異音の発生を防止することができるようになる。
【００３４】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、エンジンの燃料であるガソリンを収容するタンクへの給油口の他に、燃焼式ヒータの燃料である軽油を収容するタンク３への給油口３１を備えたマイクロバスに本発明を適用した例を示したが、燃料タンクが１個のみの車両において、給油ガソリンの種類（レギュラー、ハイオク）を表示させる場合等にも適用することができる。
【００３５】
また、実施例では、本体部１における少なくとも固定部２との連結部分が弾性を有する材質で構成されることにより、固定部２に対し本体部１が上下方向へ回動可能で、かつ、本体部１がキャップ３２の開閉および給油を阻止する初期位置に付勢されるように構成したが、固定部２に対し本体部１を回動自在に軸支することにより、該軸支部を中心として回動可能で、かつ、本体部１の重みで初期位置に付勢させることができる。ただ、この場合は、振動による本体部１の揺れを防止するために、初期位置に戻す付勢スプリングを設けることが望ましい。
【図面の簡単な説明】
【００３６】
【図１】実施例１の自動車用給油種類表示装置の取り付け前の状態を示す斜視図である。
【図２】実施例１の自動車用給油種類表示装置の取り付け状態および給油状態を示す縦断図である。
【図３】実施例２の自動車用給油種類表示装置を示す側面図である。
【図４】実施例２の自動車用給油種類表示装置の取り付け前の状態を示す斜視図である。
【図５】実施例２の自動車用給油種類表示装置の取り付け状態および給油状態を示す縦断図である。
【図６】従来例の自動車用給油種類表示装置示す正面図である。
【図７】従来例の自動車用給油種類表示装置の収納状態を示す斜視図である。
【図８】従来例の自動車用給油種類表示装置の引き出し状態を示す斜視図である。
【符号の説明】
【００３７】
Ａ１  自動車用給油種類表示装置
Ａ２  自動車用給油種類表示装置
１  本体部
１１  水平部
１１ａ  回動支点部
１２  表示部
１２ａ  取手部
１３  取り付け部
２  固定部
２ａ  垂下片
２ｂ  水平片
２１  ボルト孔
３  タンク
３１  給油口
３２  キャップ
４１  フロアサイドレール
５  ブラケット
５１  ウエルドナット
６  ボルト
７  リッド
８  給油ノズル
９  押えプレート
１０  リベット
【図１】
2005329903.tif 000003
【図２】
2005329903.tif 000004
【図３】
2005329903.tif 000005
【図４】
2005329903.tif 000006
【図５】
2005329903.tif 000007
【図６】
2005329903.tif 000008
【図７】
2005329903.tif 000009
【図８】
2005329903.tif 000010